(57)【要約】【課題】簡単な構成で、任意の位置のドレスガードを容易に着脱することができる新規な乗客コンベアを提供することにある。【解決手段】任意の位置のドレスガード７０が取り付けられるスカートガード４に、所定の開口を有する着脱孔部９Ｂと、この着脱孔部に接続されて下向きに形成され、着脱孔部より開口が狭い係合孔部９Ｃからなる取り付け孔９を設けた。また、スカートガード４の取り付け孔９と対向する位置のドレスガード７０の基体７Ａに、係合孔９Ｃを通過できる根元部１０Ａと、この根元部１０Ａの先に形成され、係合孔９Ｃを通過できず、しかも着脱孔９Ｂを通過できる頭部１０Ｂとからなる係合体１０を設けた。これによって、ドレスガード７０をスカートガード４から容易に着脱することができる。【選択図】図４
2017075003.tif 000002
【特許請求の範囲】
【請求項１】
乗降口間を循環移動する無端状に連結された踏み板の側方に隙間をあけて立設され、前記踏み板の移動方向に沿って延在するスカートガードと、前記スカートガードに取付けられ、前記踏み板の移動方向に沿って延在する基体、及び前記基体に設けられ、先端が前記踏み板側に突出する可撓体を有してなるドレスガードとを備えた乗客コンベアにおいて、
前記ドレスガードの任意の位置に配置された着脱自在な着脱ドレスガードが取り付けられる前記スカートガードに、少なくとも所定の開口を有する着脱孔部と、前記着脱孔部に接続されて下向きに形成され、前記着脱孔部より開口が狭い係合孔部からなる取り付け孔を少なくとも２個設け、
前記スカートガードの前記取り付け孔と対向する位置の前記着脱ドレスガードに、前記係合孔部を通過できる根元部と、前記根元部の先に形成され、前記係合孔部を通過できず、しかも前記着脱孔部を通過できる頭部とからなる係合体を設け、
前記着脱孔部を通過した状態の前記着脱ドレスガードの前記係合体の前記頭部が、前記スカートガードの前記係合孔部と係合されて、前記着脱ドレスガードが前記スカートガードに取り付けられていることを特徴とする乗客コンベア。
【請求項２】
請求項１に記載の乗客コンベアにおいて、
前記取り付け孔は、前記着脱孔部と前記係合孔部を接続する移動孔部を備えており、前記係合孔部は前記移動孔部の端面から前記踏み板側に向けて下側に形成されていることを特徴とする乗客コンベア。
【請求項３】
請求項２に記載の乗客コンベアにおいて、
前記取り付け孔の前記移動孔部は、前記踏み板の移動方向に沿って形成されていることを特徴とする乗客コンベア。
【請求項４】
請求項３に記載の乗客コンベアにおいて、
前記取り付け孔を形成する前記着脱孔部は円形の貫通孔であり、前記移動孔部と前記係合孔部は所定の幅を有する貫通溝であり、
前記係合体を形成する根元部は円柱形状であり、前記頭部は円形の平板状であることを特徴とする乗客コンベア。
【請求項５】
請求項２に記載の乗客コンベアにおいて、
前記ドレスガードは、前記着脱ドレスガードの両端に配置された固定ドレスガードを備えており、前記固定ドレスガードは前記スカートガードに固定ビスによって固定されていることを特徴とする乗客コンベア。
【請求項６】
請求項５に記載の乗客コンベアにおいて、
前記着脱ドレスガードの両端部は上端から下端に向けて狭まる形状に形成され、
前記着脱ドレスガードの両端部に接触する前記固定ドレスガードの端部は、前記着脱ドレスガードの前記両端部の形状と相補的な形状に形成されていることを特徴とする乗客コンベア。
【請求項７】
乗降口間を循環移動する無端状に連結された踏み板の側方に隙間をあけて立設され、前記踏み板の移動方向に沿って延在するスカートガードと、前記スカートガードに取付けられ、前記踏み板の移動方向に沿って延在する基体、及び前記基体に設けられ、先端が前記踏み板側に突出する可撓体を有してなるドレスガードとを備えた乗客コンベアのドレスガードの着脱方法において、
前記ドレスガードの任意の位置に配置された着脱自在な着脱ドレスガードが取り付けられる前記スカートガードに、少なくとも所定の開口を有する着脱孔部と、前記着脱孔部に接続されて下向きに形成され、前記着脱孔部より開口が狭い係合孔部からなる取り付け孔を少なくとも２個設け、
前記スカートガードの前記取り付け孔と対向する位置の前記着脱ドレスガードに、前記係合孔部を通過できる根元部と、前記根元部の先に形成され、前記係合孔部を通過できず、しかも前記着脱孔部を通過できる頭部とからなる係合体を設け、
前記着脱ドレスガードを前記スカートガードに取り付ける際に、前記係合体の前記頭部を前記スカートガードの前記着脱孔部に差し込み、更に前記係合体の前記根元部を前記スカートガードの前記係合孔部に移動させ、前記係合体の前記頭部と前記係合孔部とを係合させて前記着脱ドレスガードを前記スカートガードに取り付け、
前記着脱ドレスガードを前記スカートガードから取り外す際に、前記係合体の根元部を前記スカートガードの前記係合孔部を移動させて前記係合体の前記頭部を前記スカートガードの前記着脱孔部に移動させ、前記着脱ドレスガードを前記スカートガードから離間させて前記係合体の前記頭部を前記スカートガードの前記着脱孔部から抜き出して前記着脱ドレスガードを前記スカートガードから取り外す
ことを特徴とする乗客コンベアのドレスガードの着脱方法。
【発明の詳細な説明】
【技術分野】
【０００１】
本発明はエスカレータや電動道路等の乗客コンベアに係り、特にスカートガードと踏み板の間に乗客の衣類等が挟まれるのを予防するドレスガードを備えた乗客コンベア及び乗客コンベアのドレスガードの着脱方法に関するものである。
【背景技術】
【０００２】
乗客搬送用の乗客コンベアの代表的な適用例としてエスカレータが良く知られている。このエスカレータは、建屋の上階と下階の間にトラスを掛け渡し、このトラスに乗客搬送用の踏み段列が組み込まれ、この踏み段列の両側に欄干が設けられている。踏み段列は多数の踏み段を無端状に連結してなり、この踏み段列が建屋の下階から上階、或いは上階から下階に向って順次走行し、この走行する踏み段列を介して乗客を下階から上階、或いは上階から下階に搬送するようになっている。
【０００３】
そして、踏み段の側方には僅かな隙間をあけてスカートガードがほぼ垂直に設けられている。トラスに固定された欄干固定部材の上には欄干パネルが立設され、この欄干パネルの内面とスカートガードの上部側の縁部との間に内側デッキが踏み段に向かって傾斜するように設けられている。この内側デッキの上部側の縁部は欄干パネルの内面に目地部材を介して固定され、下部側の縁部がスカートガードの上に重ね合わされ、固定ボルトにて固定されている。
【０００４】
しかしながら、このような構成の場合において、内側デッキに踏み段側に突出する部分がないため、エスカレータを利用する乗客がスカートガード側に寄り過ぎ、スカートガードと踏み段の間に衣服が挟まれて衣服が損傷するといった問題があった。尚、ここではエスカレータの例をあげているが、電動道路においても同様である。したがって、以下の説明ではエスカレータの踏み段、及び電動道路のパレットを含めて踏み板という。
【０００５】
このような問題を解決するために、例えば特開２０１０-１５９１００号公報(特許文献１)においては、スカートガードの踏み板側にドレスガードを固定することで、スカートガードと踏み板の間に乗客の衣類等が挟まれるのを予防するようにしている。
【０００６】
この特許文献１においては、スカートガードの表面に踏み板の踏み面から離間し、踏み板の移動方向に沿って隙間なく連続して延設された複数のドレスガードが備えられている。そして、個々のドレスガードの裏面には係合突起が設けられており、この係合突起をスカートガードに形成した係合孔に係合して、ドレスガードをスカートガードに取り付ける構成とされている。
【０００７】
特許文献１に記載のドレスガードにおいては、個々のドレスガードがスカートガードに対して踏み板の移動方向に所定の距離だけ移動できる構成とされている。そして、個々のドレスガードは、踏み板の移動方向に沿って隙間なく連続して延設するため、連続したドレスガードの一方の端面(特許文献１ではエスカレータの最下端付近)に移動規制機構が設けられている。この移動規制機構によって、個々のドレスガードは、踏み板の移動方向に沿って隙間なく連続して固定されるものである。
【先行技術文献】
【特許文献】
【０００８】
【特許文献１】特開２０１０−１５９１００号公報
【発明の概要】
【発明が解決しようとする課題】
【０００９】
ところで、特許文献１においては、例えば、踏み板を取り外して保守点検を行うときに、取り外す踏み板に対応する特定のドレスガードを取り外す必要がある。しかしながら、この特定のドレスガードを取り外す時には、移動規制機構をスカートガードから取り外し、取り外すべき特定のドレスガードに至るまで他のドレスガードを順次移動させる移動作業が必要であり、時間と手間がかかる問題があった。また、保守点検した後に再組み付けするときも、取り外しと逆の作業を行う必要があり、やはり、時間と手間がかかる問題があった。
【００１０】
そして、このドレスガードの移動作業をなくすために、取り外すべき踏み板を、移動規制機構が配置されている特定領域(エスカレータの最下端付近)に存在する踏み板にすると、移動規制機構を取り外すことで、この特定領域にあるドレスガードだけを取り外すことができ、ドレスガードの移動作業を省略することができる。
【００１１】
しかしながら、移動規制機構が配置されている特定領域の踏み板を外しても、保守点検が容易にできない場合がある。このため、保守点検がやり易い位置の踏み板を取り外すことが必要となる。更に、特許文献１においては移動規制機構を用いて個々のドレスガードをスカートガードに固定しているため、余分な部品が必要となり構造が複雑化する。このように、簡単な構成で任意の位置のドレスガードを容易に着脱でき、保守点検作業にかかる時間や手間を少なくできる乗客コンベアが求められている。
【００１２】
本発明の目的は、簡単な構成で、任意の位置のドレスガードを容易に着脱することができる新規な乗客コンベア及び乗客コンベアのドレスガードの着脱方法を提供することにある。
【課題を解決するための手段】
【００１３】
本発明の特徴は、任意の位置の着脱すべきドレスガードが取り付けられるスカートガードに、少なくとも、所定の開口を有する着脱孔部と、この着脱孔部に接続されて下向きに形成され、着脱孔部より開口が狭い係合孔部からなる取り付け孔を少なくとも２個設け、更にスカートガードの取り付け孔と対向する位置のドレスガードに、係合孔部を通過できる根元部と、この根元部の先に形成され、係合孔部を通過できず、しかも着脱孔部を通過できる頭部とからなる係合体を設け、着脱孔部を通過した状態のドレスガードの係合体の頭部をスカートガードの係合孔部と係合してドレスガードをスカートガードに取り付ける、ところにある。
【００１４】
本発明の他の特徴は、任意の位置の着脱すべきドレスガードが取り付けられるスカートガードに、少なくとも、所定の開口を有する着脱孔部と、この着脱孔部に接続されて下向きに形成され、着脱孔部より開口が狭い係合孔部からなる取り付け孔を少なくとも２個設け、更にスカートガードの取り付け孔と対向する位置のドレスガードに、係合孔部を通過できる根元部と、この根元部の先に形成され、係合孔部を通過できず、しかも着脱孔部を通過できる頭部とからなる係合体を設け、着脱ドレスガードをスカートガードに取り付ける際に、係合体の頭部をスカートガードの着脱孔部に差し込み、更に係合体の根元部をスカートガードの係合孔部に移動させ、係合体の頭部と係合孔部とを係合させて着脱ドレスガードをスカートガードに取り付け、着脱ドレスガードを前記スカートガードから取り外す際に、係合体の根元部をスカートガードの係合孔部を移動させて係合体の頭部をスカートガードの着脱孔部に移動させ、着脱ドレスガードをスカートガードから離間させて係合体の頭部を前記スカートガードの着脱孔部から抜き出して着脱ドレスガードをスカートガードから取り外す、ところにある。
【発明の効果】
【００１５】
本発明によれば、簡単な構成で任意の位置の着脱すべきドレスガードを容易に着脱することができるので、保守点検作業の時間や手間を少なくすることができるようになる。
【図面の簡単な説明】
【００１６】
【図１】本発明が適用される乗客コンベアの概略側面図である。
【図２】図1に示すＡ部の拡大図である。
【図３】図２のＢ−Ｂ線に沿う縦断面図である。
【図４】本発明の第１の実施形態を示しており、着脱ドレスガードをスカートガードに取り付ける前の状態を示す斜視図である。
【図５】図４に示す着脱ドレスガードをスカートガードに取付けた後の状態を示す斜視図である。
【図６Ａ】第１の実施形態の着脱ドレスガードの取り付け時における、係合体と取り付け孔の関係を説明する第１説明図である。
【図６Ｂ】第１の実施形態の着脱ドレスガードの取り付け時における、係合体と取り付け孔の関係を説明する第２説明図である。
【図６Ｃ】第１の実施形態の着脱ドレスガードの取り付け時における、係合体と取り付け孔の関係を説明する第３説明図である。
【図７Ａ】第１の実施形態の着脱ドレスガードの取り外し時における、係合体と取り付け孔の関係を説明する第１説明図である。
【図７Ｂ】第１の実施形態の着脱ドレスガードの取り外し時における、係合体と取り付け孔の関係を説明する第２説明図である。
【図７Ｃ】第１の実施形態の着脱ドレスガードの取り外し時における、係合体と取り付け孔の関係を説明する第３説明図である。
【図８Ａ】着脱ドレスガードをスカートガードから外す前の着脱ドレスガードとスカートガードの状態を示す斜視図である。
【図８Ｂ】着脱ドレスガードをスカートガードから外す途中の着脱ドレスガードとスカートガードの状態を示す斜視図である。
【図８Ｃ】着脱ドレスガードをスカートガードから外せる時の着脱ドレスガードとスカートガードの状態を示す斜視図である。
【図９】本発明の第２の実施形態を示しており、着脱ドレスガードをスカートガードに取り付ける前の状態を示す斜視図である。
【図１０Ａ】第２の実施形態の着脱ドレスガードの取り付け時における、係合体と取り付け孔の関係を説明する第１説明図である。
【図１０Ｂ】第２の実施形態の着脱ドレスガードの取り付け時における、係合体と取り付け孔の関係を説明する第２説明図である。
【図１１】本発明の第３の実施形態を示しており、着脱ドレスガードをスカートガードに取り付ける前の状態を示す斜視図である。
【図１２Ａ】第３の実施形態の着脱ドレスガードの取り付け時における、係合体と取り付け孔の関係を説明する第１説明図である。
【図１２Ｂ】第３の実施形態の着脱ドレスガードの取り付け時における、係合体と取り付け孔の関係を説明する第２説明図である。
【発明を実施するための形態】
【００１７】
次に、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１８】
本発明の第１の実施形態を以下に説明する。図１乃至図３において、ドレスガードは、例えば、エスカレータのスカートガードに備えられるものである。エスカレータには、無端状に連結されて乗降口１、２間を循環移動する踏み板３の側方に若干の隙間をあけて立設され、踏み板３の移動方向に沿って延在するスカートガード４が備えられている。また、スカートガード４と欄干パネル５の間には内側デッキ６が配設されている。更に、スカートガード４の踏み板３が位置する側の側面にはドレスガード７が取付けられている。
【００１９】
また、ドレスガード７の上方のスカートガード４と内側デッキ６との継ぎ目にはモール８が固定されている。モール８は乗客の脚部がスカートガード４側に寄りすぎないように規制する働きを備えている。尚、モール８は必ずしも備えられている必要はないものである。
【００２０】
図２、図３にあるように、ドレスガード７は、踏み板３の移動方向に沿って延在する基体７Ａと、基体７Ａに取り付けられ、先端が踏み板３側に突出する可撓体、例えばブラシ７Ｂと、基体７Ａをスカートガード４に係合、固定する係合体１０を有している。ドレスガード７は複数の単位ドレスガードからなり、その一部のドレスガード７(着脱ドレスガード)が踏み板３の取り外しのために、スカートガード４に着脱可能に取り付けられている。
【００２１】
すなわち、踏み板３の移動方向に沿って延在する個々のドレスガード７の大部分は、スカートガード４に固定ビスによって固定されているが、保守点検作業に必要な領域を形成する箇所のみ、スカートガード４に対して着脱可能な着脱ドレスガード７を設けている。この着脱ドレスガード７を外すことによって、踏み板３を取り外すことが可能となっている。
【００２２】
図１のＡ部付近が保守点検作業時に踏み板３を着脱する領域に対応しており、本実施形態では、踏み板３の移動軌跡が変化する領域を、保守点検作業時に踏み板３を着脱する領域としている。尚、これ以外の任意の領域を、保守点検作業時に踏み板３を着脱する領域としても良いことはいうまでもなく、エスカレータの構成に対応して適切な領域を選定すれば良いものである。
【００２３】
図２にあるように、固定ビスによって固定される固定ドレスガード７１、７２の間に、着脱ドレスガード７０が配設されており、着脱ドレスガード７０を取り外すことによって、この領域に存在する踏み板３を取り外すことができる。尚、着脱ドレスガード７０の数は少なくとも１ヶ所あれば良いが、必要であれば２ヶ所以上で、連続的、或いは間隔を置いて配置しても良いものである。
【００２４】
図４は本実施形態になる着脱ドレスガード７０の取り付け前の状態を示し、図５は本実施形態になる着脱ドレスガード７０をスカートガード４に取り付けた状態を示している。着脱ドレスガード７０をスカートガード４に対して着脱可能とする具体的な構造は次の通りである。
【００２５】
図４において、着脱ドレスガード７０が取り付けられる領域のスカートガード４には、踏み板３の移動方向に沿った所定の長さを有する移動孔部９Ａと、移動孔部９Ａの長さ方向の一方の端部に接続され、移動孔部９Ａより広い開口を有する着脱孔部９Ｂと、移動孔部９Ａの長さ方向の他方の端部に接続され、移動孔部９Ａの長さ方向から踏み板３側に向けて下向き方向に形成される係合孔部９Ｃとからなる取り付け孔９が形成されている。したがって、取り付け孔９は、大略「Ｌ」字状の形状に形成されている。ここで、移動孔部９Ａを設けることによって、後述する係合体１０に移動孔部９Ａの方向の力が作用しないと、係合体１０が着脱孔部９Ｂに移動しない構成とされている。
【００２６】
また、この取り付け孔９は、踏み板３の移動方向に沿ってスカートガード４に少なくとも２個だけ所定の長さを有して互いに離間して形成されている。尚、２個以上設けられていても差し支えないものである。
【００２７】
一方、これらの取り付け孔９に対応して、着脱ドレスガード７０には係合体１０が設けられている。すなわち、スカートガード４の取り付け孔９と対向する位置の着脱ドレスガード７０の基体７Ａには、移動孔部９Ａ、係合孔部９Ｃを通過することができる円柱状の根元部１０Ａと、根元部１０Ａの先端に形成され、移動孔部９Ａ、係合孔部９Ｃを通過できず、しかも着脱孔部９Ｂを通過できる円形状の頭部１０Ｂとからなる係合体１０が設けられている。本実施形態では頭部１０Ｂは扁平な円形の平面形状に形成されており、根元部１０Ａと頭部１０Ｂの縦断面は略「Ｔ」字状である。
【００２８】
本実施形態では、移動孔部９Ａ、及び係合孔部９Ｃは所定の幅を備えた直線状の貫通溝であり、着脱孔部９Ｂは円形状の貫通孔である。したがって、係合体１０は、貫通溝（移動孔部９Ａ、係合孔部９Ｃ）の幅より小径の根元部１０Ａと、根元部１０Ａの突出方向の先端側に設けられ、貫通溝（移動孔部９Ａ、係合孔部９Ｃ）の幅より大きく、かつ貫通孔（着脱孔部９Ｂ）より小径の頭部１０Ｂからなるものである。
【００２９】
本実施形態では、スカートガード４に形成した２個の取り付け孔９に対応して、係合体１０は、例えば着脱ドレスガード７０の踏み板３の移動方向に沿う一方の端部と、他方の端部の２箇所に備えられている。
【００３０】
そして、図５に示すように、着脱ドレスガード７０がスカートガード４に組み付けられた状態では、基体７Ａに設けた係合体１０の根元部１０Ａが係合孔部９Ｃの最下端で受け止められ、係合体１０の頭部１０Ｂが係合孔部９Ｃの周囲の平面で受け止められて抜け止めされるものである。
【００３１】
次に、着脱ドレスガード７０の取り付け、及び取り外しの手順を説明する。図６Ａ〜図６Ｃは、本実施形態になる着脱ドレスガード７０の取り付け時における、係合体１０の取り付け孔９に対する動きを説明するものである。また、図７Ａ〜図７Ｃは、本実施形態になる着脱ドレスガード７０の取り外し時における、係合体１０の取り付け孔９に対する動きを説明するものである。
【００３２】
まず、着脱ドレスガード７０を取り付ける場合、図４に示すように、着脱ドレスガード７０の基体７Ａの両端部に設けられる係合体１０を、スカートガード４に形成されている取り付け孔９の着脱孔部９Ｂに対向させる。
【００３３】
次に、基体７Ａをスカートガード４に押し付ける方向に移動させ、図６Ａに示すように、係合体１０の頭部１０Ｂを着脱孔部９Ｂに差し込む。この後、係合体１０を矢印方向に移動させ、図６Ｂに示すように、根元部１０Ａが移動孔部９Ａと係合孔部９Ｃの連結部に位置するように着脱ドレスガード７０の基体７Ａを横方向に移動させる。次に、係合体１０を矢印方向に移動させ、図６Ｃに示すように、根元部１０Ａが係合孔部９Ｃの長さ方向の下端部に当接するまで基体７Ａを下方向に移動させ、最終的に根元部１０Ａが係合孔部９Ｃの最下端で支持される。
【００３４】
これにより、着脱ドレスガード７０の基体７Ａは、スカートガード４に対して踏み板３の移動方向及びスカートガード４の厚み方向の移動が規制され、図５に示すように、着脱ドレスガード７０はスカートガード４に対して、少ない時間と手間で確実に取り付けられるようになる。
【００３５】
一方、着脱ドレスガード７０を取り外す場合、着脱ドレスガード７０の基体７Ａを把持して、図７Ａに示すように、係合孔部９Ｃの下端部に当接している係合体１０を矢印方向に移動させ、図７Ｂに示すように、移動孔部９Ａと係合孔部９Ｃの連結部に位置するように基体７Ａを上方向に移動させる。次いで、係合体１０を矢印方向に移動させ、図７Ｃに示すように、根元部１０Ａが着脱孔部９Ｂに位置するように基体７Ａを横方向に移動させる。この後、基体７Ａをスカートガード４から離間する方向に移動させ、係合体１０の頭部１０Ｂを着脱孔部９Ｂから抜き出し、着脱ドレスガード７０をスカートガード４から取り外すようにする。
【００３６】
これにより、着脱ドレスガード７０はスカートガード４に対して、少ない時間と手間で簡単に取り外すことができる。
【００３７】
また、取り付け孔９を、移動孔部９Ａ、着脱孔部９Ｂ、及び係合孔部９Ｃから構成したので、着脱ドレスガード７０がスカートガード４に取り付けられた状態で、仮に何らかの原因によって着脱ドレスガード７０の下側から押し上げ力が加わっても、移動孔部９Ａの存在によって、移動孔部９Ａに沿った方向の力が加わらないと係合体１０が着脱孔部９Ｂまで移動することができなく、着脱ドレスガード７０が容易にスカートガード４から外れるという現象を抑制することできる。
【００３８】
次に、固定ドレスガード７１、７２と、着脱ドレスガード７０の夫々の端部の接触面の形状について説明する。
【００３９】
図８Ａ〜図８Ｃに示しているように、着脱ドレスガード７０の基体７Ａの両端部ＲＥ、ＬＥの形状は、上端から下端に向かって狭まる逆「ハ」字の形状とされている。一方、着脱ドレスガード７０と隣接する固定ドレスガード７１、７２の基体７Ａの端部は、着脱ドレスガード７０の基体７Ａの両端部ＲＥ、ＬＥの形状と相補的な形状としている。すなわち、固定ドレスガード７１、７２の基体７Ａの端部ＲＥ、ＬＥの形状は、上端から下端に向かって広がる「ハ」字の形状とされている。これによって、着脱ドレスガード７０及び固定ドレスガード７１、７２の夫々の基体７Ａの両端部は、相補的な形状であるため、密着して取り付けることができるようになっている。
【００４０】
このような構成を採用することによって、上側からの押し付け力で着脱ドレスガード７０が外れることを防ぐことができる。すなわち、着脱ドレスガード７０は踏み板３の方向に突出していると共に、踏み板３上の乗客の足元に位置することから、乗客が足を載せて押し付け力（荷重）を加えることが想定される。このような状況で着脱ドレスガード７０に上側からの押し付け力が加えられても、固定ビスで固定された隣接する固定ドレスガード７１、７２の端部で押し付け力を受け止め、着脱ドレスガード７０が外れることを防ぐことができる。
【００４１】
次に、上述した着脱ドレスガード７０の取り外しについて説明する。図８Ａは着脱ドレスガード７０及び固定ドレスガード７１、７２がスカートガード４に取り付けられている状態を示している。この図からわかるように、着脱ドレスガード７０及び固定ドレスガード７１、７２の夫々の基体７Ａの両端部は、相補的な形状であるため密着して取り付けることができる構成となっている。この状態で、取り付け孔９と係合体１０の関係は、図７Ａに示す状態である。
【００４２】
次に図８Ｂにおいて、着脱ドレスガード７０を矢印方向に沿って上側に移動させると、着脱ドレスガード７０の両端部ＲＥ、ＬＥが上側に向かって広がるように傾斜し、逆に固定ドレスガード７１、７２の端部ＲＥ、ＬＥが下側に向かって広がるように傾斜しているため、着脱ドレスガード７０を上側に移動すると、着脱ドレスガード７０の両端部ＲＥ、ＬＥと固定ドレスガード７１、７２の端部ＲＥ、ＬＥの間の距離が長くなる。
【００４３】
このように、着脱ドレスガード７０の上側への移動量に応じて、固定ドレスガード７１、７２の端部ＲＥ、ＬＥとの間の距離が長くなるので、着脱ドレスガードの７０の移動量を少なくでき、取り外し作業の手間を少なくできる。この状態で、取り付け孔９と係合体１０の関係は、図７Ｂに示す状態である。
【００４４】
次に図８Ｃにおいて、着脱ドレスガード７０を移動孔部９Ａにそって横方向に移動させることによって、係合体１０を着脱孔部９Ｂまで移動して着脱ドレスガード７０をスカートガード４から取り外せる状態にする。この状態で、取り付け孔９と係合体１０の関係は、図７Ｃに示す状態である。したがって、この状態で着脱ドレスガード７０をスカートガード４から離間するように引き出すことで、着脱ドレスガード７０をスカートガード４から取り外すことができるようになる。
【００４５】
以上述べた通り、本実施形態によれば、簡単な構成で、任意の位置のドレスガードを容易に着脱することができるので、保守点検作業の時間や手間を少なくすることができるようになる。
【００４６】
また、本実施形態によれば、取り付け孔を、移動孔部、着脱孔部、及び係合孔部から構成したので、仮に何らかの原因によってドレスガードの下側から押し上げ力が加わっても、移動孔部の存在によって横方向の力が加わらないと係合体が着脱孔部まで移動することができなく、着脱ドレスガードが容易にスカートガードから外れるという現象を抑制することできる。
【実施例２】
【００４７】
次に本発明の第２の実施形態について説明する。本実施形態は取り付け孔の着脱孔部、移動孔部及び係合孔部を矩形状とし、係合体の根元部を矩形柱状とし、頭部を矩形板状とした点で実施例１と異なっており、これ以外は実施例１と同様の構成である。尚、実施例１と同じ参照番号は同じ構成部品を示しているので、説明は省略する。
【００４８】
図９において、スカートガード４には、踏み板３の移動方向に所定の長さを有する矩形の移動孔部１９Ａと、移動孔部１９Ａの長さ方向の一方の端部に接続され、移動孔部１９Ａより広い開口を有する矩形の着脱孔部１９Ｂと、移動孔部１９Ａの長さ方向の他方の端部に接続され、移動孔部１９Ａの長さ方向から下向き方向に形成される矩形の係合孔部１９Ｃからなる取り付け孔１９が形成されている。この取り付け孔１９は、実施例１と同様に、スカートガード４に少なくとも２個だけ所定の長さを有して互いに離間して形成されている。
【００４９】
一方、これらの取り付け孔１９に対応して、着脱ドレスガード７０には係合体２０が設けられている。スカートガード４の取り付け孔１９と対向する位置の着脱ドレスガード７０の基体７Ａには、移動孔部１９Ａ、係合孔部１９Ｃを通過することができる矩形柱状の根元部２０Ａと、根元部２０Ａの先端に形成され、移動孔部１９Ａ、係合孔部１９Ｃを通過できず、しかも着脱孔部１９Ｂを通過できる矩形板状の頭部２０Ｂとからなる係合体２０が設けられている。
【００５０】
本実施形態でも、スカートガード４に形成した２個の取り付け孔１９に対応して、係合体２０は、例えば着脱ドレスガード７０の踏み板３の移動方向に沿う一方の端部と、他方の端部の２箇所に備えられている。
【００５１】
そして、着脱ドレスガード７０がスカートガード４に組み付けられた状態では、基体７Ａに設けた係合体２０の根元部２０Ａが係合孔部１９Ｃの最下端で受け止められ、係合体２０の頭部２０Ｂが係合孔部１９Ｃの周囲の平面で受け止められて抜け止めされるものである。
【００５２】
そして、着脱ドレスガード７０を取り付ける場合、図９に示すように、着脱ドレスガード７０の基体７Ａの両端部に設けられる係合体２０を、スカートガード４に形成されている取り付け孔９の着脱孔部１９Ｂに対向させる。
【００５３】
次に、基体７Ａをスカートガード４に押し付ける方向に移動させ、図１０Ａに示すように、係合体２０の頭部２０Ｂを着脱孔部１９Ｂに差し込む。この後、係合体２０を矢印方向に移動させ、図１０Ｂに示すように、根元部２０Ａが係合孔部１９Ｃの長さ方向の下端部に当接するまで基体７Ａを下方向に移動され、最終的に根元部２０Ａが係合孔部１９Ｃの最下端で支持される。尚、取り外す場合は、上述した説明の作業を逆にすれば、着脱ドレスガード７０をスカートガード４から取り外すことができることは実施例１で述べた通りである。
【００５４】
このように、本実施形態においても実施例１と同様の作用、効果を奏することができるので、作用、効果の説明は省略する。
【実施例３】
【００５５】
次に本発明の第３の実施形態について説明する。本実施形態は取り付け孔の移動孔部を形成せず、取り付け孔を着脱孔部と係合孔部とより形成した点で実施例１と異なっており、これ以外は実施例１と同様の構成である。尚、実施例１と同じ参照番号は同じ構成部品を示しているので、説明は省略する。
【００５６】
図１１において、スカートガード４には、広い開口を有する着脱孔部２９Ｂと、着脱孔部２９Ｂから下向き方向に形成される係合孔部２９Ｃからなる取り付け孔２９が形成されている。この取り付け孔２９は、実施例１と同様にスカートガード４に少なくとも２個だけ所定の長さを有して互いに離間して形成されている。
【００５７】
一方、これらの取り付け孔２９に対応して、実施例１と同様に着脱ドレスガード７０には係合体１０が設けられている。スカートガード４の取り付け孔２９と対向する位置の着脱ドレスガード７０の基体７Ａには、係合孔部２９Ｃを通過することができる円柱状の根元部１０Ａと、根元部１０Ａの先端に形成され、係合孔部２９Ｃを通過できず、しかも着脱孔部２９Ｂを通過できる円形状の頭部１０Ｂとからなる係合体１０が設けられている。本実施形態でも、スカートガード４に形成した２個の取り付け孔２９に対応して、係合体１０は、着脱ドレスガード７０の一方の端部と、他方の端部の２箇所に備えられている。
【００５８】
そして、着脱ドレスガード７０がスカートガード４に組み付けられた状態では、基体７Ａに設けた係合体１０の根元部１０Ａが係合孔部２９Ｃの最下端で受け止められ、係合体１０の頭部１０Ｂが係合孔部２９Ｃの周囲の平面で受け止められて抜け止めされるものである。
【００５９】
そして、着脱ドレスガード７０を取り付ける場合、図１１に示すように、着脱ドレスガード７０の基体７Ａの両端部に設けられる係合体１０を、スカートガード４に形成されている取り付け孔２９の着脱孔部２９Ｂに対向させる。
【００６０】
次に、基体７Ａをスカートガード４に押し付ける方向に移動させ、図１２Ａに示すように、係合体１０の頭部１０Ｂを着脱孔部２９Ｂに差し込む。この後、係合体２０を矢印方向に移動させ、図１２Ｂに示すように、根元部１０Ａが係合孔部２９Ｃの下端部に当接するまで基体７Ａを下方向に移動され、最終的に根元部１０Ａが係合孔部２９Ｃの最下端で支持される。尚、取り外す場合は、上述した説明の作業を逆にすれば、着脱ドレスガード７０をスカートガード４から取り外すことができることは実施例１で述べた通りである。
【００６１】
このように、本実施形態においても実施例１と同様の作用効果を奏することができるので、重複した説明は省略する。ただ、本実施形態の取り付け孔は、実施例１で設けられている移動孔部が形成されていないので、素早く係合体を係合孔部に移動することができ、実施例１に比べてドレスガードの着脱作業の手間や時間をより少なくすることが可能である。
【００６２】
以上述べた通り、本発明によれば、簡単な構成で、任意の位置のドレスガードを容易に着脱することができるので、保守点検作業の時間や手間を少なくすることができるようになる。
【００６３】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６４】
３…踏み板、４…スカートガード、７…ドレスガード、７０…着脱ドレスガード、７１、７２…固定ドレスガード、７Ａ…基体、７Ｂ…ブラシ（可撓体）、８…モール、９…取り付け孔、９Ａ…移動孔部、９Ｂ…着脱孔部、９Ｃ…係合孔部、１０…係合体、１０Ａ…根元部、１０Ｂ…頭部。
【図１】
2017075003.tif 000003
【図２】
2017075003.tif 000004
【図３】
2017075003.tif 000005
【図４】
2017075003.tif 000006
【図５】
2017075003.tif 000007
【図６Ａ】
2017075003.tif 000008
【図６Ｂ】
2017075003.tif 000009
【図６Ｃ】
2017075003.tif 000010
【図７Ａ】
2017075003.tif 000011
【図７Ｂ】
2017075003.tif 000012
【図７Ｃ】
2017075003.tif 000013
【図８Ａ】
2017075003.tif 000014
【図８Ｂ】
2017075003.tif 000015
【図８Ｃ】
2017075003.tif 000016
【図９】
2017075003.tif 000017
【図１０Ａ】
2017075003.tif 000018
【図１０Ｂ】
2017075003.tif 000019
【図１１】
2017075003.tif 000020
【図１２Ａ】
2017075003.tif 000021
【図１２Ｂ】
2017075003.tif 000022